(57)【要約】【課題】開口部への設置後に、開口部を通って屋内に入ることを可能とする開口部の防水装置及び防水装置のシートを提供すること。【解決手段】防水装置１は、構造物Ｓの屋内側と屋外側とを連通しかつ開閉扉４によって開閉される開口部Ｏにシート１０と、シート１０を開閉扉４よりも屋外側に保持する保持部材２０と、伸縮部材６２を備える。保持部材２０は、シート１０が開閉扉４の鉛直方向下端側の所定部４１と、構造物Ｓのうち所定部４１に隣接する部分とを覆い、かつシート下部１３が床面８に沿って屋外側に延在するようにシート１０を開閉扉４よりも屋外側に位置付けてシート１０を保持する。伸縮部材６２は、シート１０の上端部の幅方向の全長に亘ってシート１０の上端部に取り付けられる。【選択図】図１
2015172318.tif 000002
【特許請求の範囲】
【請求項１】
構造物の屋内側と屋外側とを連通し、かつ開閉体によって開閉される開口部に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備え、
前記シートの上端部の幅方向の少なくとも一部に伸縮自在な伸縮部材が取り付けられている
ことを特徴とする開口部の防水装置。
【請求項２】
前記伸縮部材が、前記シートの上端部の前記幅方向の全長に亘って設けられている
ことを特徴とする請求項１に記載の開口部の防水装置。
【請求項３】
前記伸縮部材が、前記シートの少なくとも一方の端部において、前記開口部の鉛直方向下端側の所定部に対応する閉塞部の下端から上端部に向けて徐々に幅が広くなるように設けられている
ことを特徴とする請求項１に記載の開口部の防水装置。
【請求項４】
構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持される防水装置のシートにおいて、
上端部の幅方向の少なくとも一部に伸縮自在な伸縮部材が取り付けられている
ことを特徴とする防水装置のシート。
【請求項５】
前記伸縮部材が、前記シートの上端部の前記幅方向の全長に亘って設けられている
ことを特徴とする請求項４に記載の防水装置のシート。
【請求項６】
前記伸縮部材が、前記シートの少なくとも一方の端部において、前記開口部の鉛直方向下端側の所定部に対応する閉塞部の下端から上端部に向けて徐々に幅が広くなるように設けられている
ことを特徴とする請求項４に記載の防水装置のシート。
【発明の詳細な説明】
【技術分野】
【０００１】
本発明は、開口部の防水装置及び防水装置のシートに関する。
【背景技術】
【０００２】
従来、開閉体によって開閉される開口部からの浸水を抑制する技術が提案されている。例えば、特許文献１には、開閉体としてのシャッターの裏面には、屈曲自在な防水シートが設けられていると共に、シャッターの幅方向の端を案内するガイド部材には、防水シートと対向するようにしてシール部材が設けられたシャッター装置の技術が開示されている。特許文献１に示されたシャッター装置は、氾濫水等の水圧がシャッターの表面に作用すると、防水シートがシール部材に圧接されるようになっている、浸水防止機能を備えている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部に設置してしまうと、シャッターの裏面に防水シートを取り付けているために、開口部から出入りすることができない。このように、前述した特許文献１に示された技術では、開口部への設置後に、開口部から出入りすることができない。
【０００５】
本発明の目的は、開口部への設置後に、開口部から出入りすることを可能とする開口部の防水装置及び防水装置のシートを提供することである。
【課題を解決するための手段】
【０００６】
本発明の開口部の防水装置は、構造物の屋内側と屋外側とを連通し、かつ開閉体によって開閉される開口部に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備え、前記シートの上端部の幅方向の少なくとも一部に伸縮自在な伸縮部材が取り付けられていることを特徴とする。
【０００７】
上記開口部の防水装置では、シートの上端部の幅方向の少なくとも一部に伸縮部材が取り付けられているので、設置後であっても、伸縮部材を伸張させることでシートの上端部を床面に向けて押し下げることができる。したがって、防水装置は、開口部への設置後に、開口部から出入りすることを可能とすることができる。
【０００８】
また、開口部の防水装置は、シートにより開口部からの浸水を抑制するので、軽量化を図ることができ、開口部に設置されない状態では、シートを折り畳むことができ、コンパクトに収納しておくことができる。さらに、開口部の防水装置は、シートの上端部を吸盤などの止着手段により開閉体に止着しなくても、伸縮部材の弾性復元力によりシートの上端部が垂れ下がることを抑制できる。
【０００９】
上記開口部の防水装置において、前記伸縮部材が、前記シートの上端部の前記幅方向の全長に亘って設けられているものとすることができる。
【００１０】
上記開口部の防水装置では、伸縮部材がシートの上端部の全長に亘って設けられているので、シートの上端部を床面に向けて押し下げることができる。
【００１１】
上記開口部の防水装置において、前記伸縮部材が、前記シートの少なくとも一方の端部において、前記開口部の鉛直方向下端側の所定部に対応する閉塞部の下端から上端部に向けて徐々に幅が広くなるように設けられているものとすることができる。
【００１２】
上記開口部の防水装置では、シートの少なくとも一方の端部において、伸縮部材が上方に向かうにしたがって徐々に幅広に形成されているので、シートの上端部を床面に向けて押し下げることができる。
【００１３】
本発明の防水装置のシートは、構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材に保持される防水装置のシートにおいて、上端部の幅方向の少なくとも一部に伸縮自在な伸縮部材が取り付けられていることを特徴とする。
【００１４】
上記防水装置のシートでは、上端部の幅方向の少なくとも一部に伸縮部材が取り付けられているので、設置後であっても、伸縮部材を伸張させることでシートの上端部を床面に向けて押し下げることができる。したがって、防水装置のシートは、開口部への設置後に、開口部から出入りすることを可能とすることができる。
【００１５】
上記防水装置のシートにおいて、前記伸縮部材が、前記シートの上端部の前記幅方向の全長に亘って設けられているものとすることができる。
【００１６】
上記防水装置のシートでは、上端部を床面に向けて押し下げることができる。
【００１７】
上記防水装置のシートにおいて、前記伸縮部材が、前記シートの少なくとも一方の端部において、前記開口部の鉛直方向下端側の所定部に対応する閉塞部の下端から上端部に向けて徐々に幅が広くなるように設けられているものとすることができる。
【００１８】
上記防水装置のシートでは、上端部を床面に向けて押し下げることができる。
【発明の効果】
【００１９】
本発明に係る開口部の防水装置及び防水装置のシートは、開口部への設置後に、開口部から出入りすることを可能とすることができるという効果を奏する。
【図面の簡単な説明】
【００２０】
【図１】図１は、実施形態１に係る開口部の防水装置を示す斜視図である。
【図２】図２は、実施形態１に係る開口部の防水装置により防水される開口部などを示す斜視図である。
【図３】図３は、実施形態１に係る開口部の防水装置のシートを屋内側からみた平面図である。
【図４】図４は、実施形態１の変形例に係る開口部の防水装置のシートを屋内側からみた平面図である。
【図５】図５は、実施形態２に係る開口部の防水装置のシートを屋内側からみた平面図である。
【発明を実施するための形態】
【００２１】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２２】
［実施形態１］
図１から図３を参照して、実施形態１について説明する。実施形態１は、構造物の開口部を止水する開口部の防水装置に関する。図１は、実施形態１に係る開口部の防水装置を示す斜視図、図２は、実施形態１に係る開口部の防水装置により止水される開口部などを示す斜視図、図３は、実施形態１に係る開口部の防水装置のシートを屋内側からみた平面図である。
【００２３】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２４】
浸水対策として、シャッターや開閉扉の下部を防水板（パネル）に変更する方法も考えられるが、一般的に高額となりやすいため、ユーザーにとって受け入れにくい場合がある。
【００２５】
本実施形態の開口部の防水装置１は、開閉体としてのシャッターや開閉扉の前にシートを設置して、簡易的にかつ安価に止水することを可能とする。シートは、開閉体とその周囲の構造物とを一体に覆うことで、開閉体と構造物との隙間を閉塞し、適切に止水することができる。よって、本実施形態の開口部の防水装置１によれば、水害による建物内部の被害を軽減することができる。
【００２６】
図１に示す開口部の防水装置１は、構造物Ｓの開口部Ｏ（図２等に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓのガラスなどの透明又は半透明の材料で構成された壁部３等に形成されており、構造物Ｓの屋外側と屋内側とを連通している。本実施形態では、壁部３の下端部には、図１及び図２に示すように、壁部３よりも厚い幅木６が設けられている。
【００２７】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁部３に形成されており、壁部３を貫通して構造物Ｓの屋外と屋内とを連通している。なお、これに限らず、開口部Ｏは、構造物Ｓの内部を仕切る壁部に形成されたものであってもよい。また、壁部３は、予め十分な止水性を有するものが好ましいが、例えば、嵌め殺しサッシ、塀などの許容できる範囲内で水漏れするもの、又は、別途止水性を付加（例えば、土嚢の設置や公知の水密処理など）して止水性を発揮するものでもよい。
【００２８】
前述した開口部Ｏには、当該開口部Ｏを開閉する開閉体としての開閉扉４が設けられている。開閉扉４は、図２等に示すように、開閉方向、本実施形態では左右水平方向に移動する扉５を一対備えている。
【００２９】
開閉扉４の一対の扉５は、図示しないガイドレールによって案内される。ガイドレールは、開口部Ｏの上下両端に設けられ、壁部３の表面と平行である。扉５の上下方向の両端部は、それぞれガイドレールの溝部に挿入されている。溝部は、開閉方向即ち左右水平方向に延在しており、扉５を開閉方向、即ち、左右方向に移動自在に案内する。扉５の下端部には、壁部３及び扉５よりも厚い幅木７（図２に示す）が設けられている。なお、本発明でいう床面とは、説明上分かりやすくするための便宜上の表現であって、通常の床面８のみならず、コンクリート面や地面等の開口部Ｏの下方に位置する面及び幅木６，７の表面を総称する。
【００３０】
開閉扉４は、一対の扉５が互いに近付いて開口部Ｏを閉塞し、一対の扉５が互いに離間して開口部Ｏを開放する。扉５の移動は、手動でなされても、モータ等の駆動装置によって自動でなされてもよい。本実施形態の開閉扉４は、一対の扉５、ガイドレールなどを有する。
【００３１】
図１に戻り、開口部の防水装置（以下、防水装置と呼ぶ）１は、シート１０、一対の保持部材２０、押圧部材３０などを備える。シート１０は、開口部Ｏを塞ぐように開口部Ｏよりも屋外側に設置されるものであり、開口部Ｏの鉛直方向下端側の領域を閉塞することが可能な幅および長さを有している。シート１０の形状は、例えば、矩形である。シート１０は、遮水性を有しており、開口部Ｏの防水シートとして機能することができる。また、シート１０は、可撓性を有しており、伸縮可能であることが望ましい。シート１０の素材は、例えば、樹脂、ゴム、表面を樹脂などでコーティングした布とすることができる。シート１０は、水圧によって追従して変形可能な素材（例えば、ポリ塩化ビニル、ポリエチレン、ポリプロピレンなど）で構成されることが好ましい。
【００３２】
シート１０の幅は、開閉扉４の幅よりも大きい。また、シート１０の幅は、開口部Ｏの幅Ｗ（図２参照）よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００３３】
シート１０の幅方向の両端には、それぞれ、心材１１が配置されている。心材１１は、軽量でかつ可撓性を有する素材、例えば樹脂素材で形成されている。心材１１は、シート１０の幅方向の両端の上端から所定部４１の下端に対応する箇所、即ち、シート１０の幅方向の両端の後述のシート下部１３を除く箇所に配置されている。このように、心材１１は、図３等に示すように、シート１０の開口部Ｏの鉛直方向下端側の所定部４１に対応する閉塞部１２の幅方向の両端に設けられている。心材１１は、シート１０の長さ方向（鉛直方向）に延在している。心材１１は、円柱状に形成され、シート１０の壁部３及び扉５に対向する面に設けられ、保持部材２０のシート保持部２２に挿入可能である。
【００３４】
保持部材２０は、シート１０を開閉扉４よりも屋外側に位置付けて構造物Ｓに対して保持する。より詳しくは、保持部材２０は、開閉扉４の所定部４１と、構造物Ｓのうち所定部４１に隣接する部分とを一体に覆うことで開口部Ｏの鉛直方向下端側を閉塞させるようにシート１０を保持する。また、保持部材２０は、シート１０の鉛直方向下端部が床面８に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面８に沿って延在する部分を、以下「シート下部１３」と記載する。また、シート下部１３には、床面８との間を止水する止水ゴム５０が取り付けられている。
【００３５】
図１に示すように、保持部材２０は、一対設けられ、壁部３に着脱自在である。保持部材２０は、図１に示すように、壁部３に取り付けられる取付部２１と、取付部２１に設けられたシート保持部２２とを備えている。
【００３６】
取付部２１とシート保持部２２とは、アルミニウム合金等で一体に構成されている。取付部２１は、平板状に形成されている。取付部２１は、壁部３の表面に重ねられて、壁部３に取り付けられる。シート保持部２２は、断面Ｃ字形に形成され、かつ取付部２１の表面上に設けられている。シート保持部２２は、一対の保持部材２０同士が対向する面にスリット２２ａが形成されている。シート保持部２２は、スリット２２ａ内にシート１０の幅方向の端及び心材１１が挿入されることで、シート１０の幅方向の端を保持する。保持部材２０は、取付部２１が壁部３に取り付けられると、鉛直方向に延在し、開閉扉４の所定部４１に対応する範囲に配置される。すなわち、保持部材２０は、開閉扉４の下端から所定部４１の上端までの範囲に対応して配される。なお、本発明では、保持部材２０は、防水装置１の防水性能等の使用上の問題がないような実質的な意味で開閉扉４の所定部４１に対応していればよく、例えば、保持部材２０の上端は必ずしも所定部４１の上端と一致せず、若干下側に位置していてもよい。保持部材２０は、シート１０に一体に形成されても良い。保持部材２０を構成する材質は、シート１０を保持できれば任意であり、アルミニウム合金に替えて、例えば、硬質性の樹脂等でもよい。保持部材２０のシート保持部２２のスリット２２ａの幅は、シート１０と心材１１をあわせた厚みよりも小さいため、心材１１がスリット２２ａを介してシート保持部２２から抜け出ることが規制される。なお、心材１１は、円柱状のものには限定されず、例えば、断面が矩形などの多角形の平板状であってもよい。
【００３７】
押圧部材３０は、シート１０のシート下部１３上に配置されて、シート１０を構造物Ｓ及び床面８に向けて押圧するものであり、例えばシート１０を床面８、構造物Ｓの壁部３、幅木６，７および開閉扉４の各扉５に向けて押圧する。押圧部材３０は、図１に示すように、シート下部１３上の開口部Ｏの幅方向に沿って連続的に配置される。押圧部材３０は、隙間無く配置されても、隣接する押圧部材３０間に所定の隙間を設けて配置されても良い。押圧部材３０は、棒状あるいは板状であることが好ましい。本実施形態に係る押圧部材３０は、板状のフラットバーである。押圧部材３０は、例えば、金属製であり、浮力に抗してシート１０のシート下部１３を床面８に向けて押圧することができる質量や密度を有している。押圧部材３０は、シート下部１３が床面８に沿って配置された後でシート下部１３上に設置される。これにより、押圧部材３０は、開閉扉４の下端部の近傍においてシート１０を床面８に密着させておくことができる。押圧部材３０は、一本でもよいし、複数に分割されていても結果として開口部Ｏの幅方向に沿って連続的に配置されていてもよい。なお、使用上における止水目的を達成できれば、連続的でなく、若干途切れている箇所があってもよい。
【００３８】
また、シート１０の上端部には、図３等に示すように、伸縮部６０が設けられている。伸縮部６０は、実施形態１では、シート１０の上端部に開口部Ｏの幅方向に沿って直線状に設けられている。伸縮部６０は、実施形態１では、シート１０の上端部の幅方向の両端部を除く全長に亘って設けられている。伸縮部６０は、伸縮用通し部６１と、伸縮用通し部６１内に設けられた伸縮部材６２とを備えている。伸縮用通し部６１は、好ましくは伸縮自在な材料で構成され、扁平な筒状に形成されている。伸縮用通し部６１の長手方向は、シート１０の幅方向と平行に配置され、伸縮用通し部６１は、シート１０の上端部の幅方向の両端部を除く略全長に亘って、シート１０の上端部に取り付けられている。
【００３９】
伸縮部材６２は、伸縮自在であり、弾性を有するゴムやばねなどで構成されて、望ましくは帯状に形成されて、伸縮用通し部６１内に収容される。伸縮部材６２は、伸縮用通し部６１内に収容されて、シート１０の上端部において、開口部Ｏの幅方向の少なくとも一部に取り付けられているとともに、シート１０の上端部の幅方向の全長に亘って設けられている。伸縮部材６２は、開口部Ｏに設置された状態で、シート１０の上端部が伸縮することを許容する。伸縮部材６２が弾性変形（伸縮）していない中立状態で、シート１０は、図３に示すように、平面形状が矩形状をなす。また、伸縮部材６２が弾性変形（伸縮）していない中立状態で、伸縮部６０の伸縮用通し部６１は、皺が多数形成される。
【００４０】
また、開口部Ｏに設置されたシート１０は、伸縮部材６２が弾性変形（伸縮）していない中立状態では、上端部が壁部３や開閉扉４の扉５に周知の止着手段（ピンチ（クリップ）、粘着材、フック、ファスナー、ひも、鋲、吸盤）により固定されなくても、伸縮部材６２の弾性復元力により上端部が弛むことを抑制できる。開口部Ｏに設置されたシート１０は、伸縮部材６２が伸張することでシート１０の幅方向の中央部（図１中に二点鎖線で示す）の床面８からの高さＬを、伸縮部材６２が弾性変形（伸縮）していない中立状態
（図１中に実線で示す）よりも低くすることができる。
【００４１】
なお、伸縮部材６２が伸張した際のシート１０の幅方向の中央部の床面８からの高さＬは、人が跨げる程度であることが望ましく、例えば、１６（建築基準法施行令に定められた小学校の児童の階段の蹴上げ寸法の上限）ｃｍから３８（ＪＩＳ（日本工業規格）Ｓ１０２１における身長１５０ｃｍの人の教室用椅子４号の座面の高さ）ｃｍ程度であるのが望ましい。また、伸縮部材６２が伸張した際のシート１０の幅方向の中央部の床面８からの高さＬは、止水高さの要望次第では椅子などを台にして跨ぐことを前提に１ｍ程度まででもよく、脚立などを使って渡ることを前提に１．５ｍ程度まででもよい。
【００４２】
次に、シート１０を開口部Ｏに設置する方法、即ち、実施形態１に係る防水装置１を組み立てる方法を説明する。
【００４３】
シート１０を開口部Ｏに設置する即ち防水装置１を組み立てる場合、まず、壁部３に保持部材２０を取り付け、開閉扉４の扉５により開口部Ｏを閉塞させる。そして、シート１０の幅方向の両端及び心材１１を、保持部材２０の上端からシート保持部２２内に挿入し、シート１０の両端及び心材１１を保持部材２０の下端に向けてシート保持部２２内で移動させる。そして、シート１０の両端及び心材１１が保持部材２０のシート保持部２２に挟持され、シート１０の心材１１が設けられていないシート下部１３を、保持部材２０の下端に設けられた間隙を通して、幅木６，７及び床面８上に引き出し、床面８に沿って屋外側に向けて延在させる。
【００４４】
シート１０の幅は、開口部Ｏの幅Ｗ（図２参照）よりも大きく、以下に示すような幅に設定している。すなわち、シート１０の両端が保持部材２０によって保持された状態で、シート１０は、若干のたるみを有している。つまり、保持部材２０は、シート１０がたるみを有した状態でシート１０を保持し、シート１０が保持部材２０よりも開閉扉４側に向けて撓むことを許容する。また、シート１０の幅と、開口部Ｏの幅Ｗとの寸法差に応じて、シート１０を適宜折り畳んで、開口部Ｏに設置されたシート１０が若干のたるみを有してもよい。
【００４５】
また、シート１０の鉛直方向の長さは、開閉扉４の所定部４１の鉛直方向の長さよりも長く、以下に示すような長さに設定している。すなわち、シート１０が保持部材２０によって保持された状態で、シート下部１３を床面８上に垂らし、床面８に沿わせることが可能な長さである。シート１０は、このシート下部１３を床面８に沿って屋外側に向けて延在された状態で設置される。言い換えると、シート１０は、シート下部１３が床面８と対向し、かつシート下部１３が先端側へ向かうに従い開閉扉４から離間するように配置される。
【００４６】
そして、押圧部材３０をシート下部１３上に配置して、開口部Ｏを塞ぐようにシート１０を設置する。こうして、シート１０が所定部４１と壁部３の所定部４１に隣接する部分とを一体に覆いかつシート下部１３が床面８に沿って屋外側に向けて延在した状態で、押圧部材３０によりシート１０を床面８、構造物Ｓの壁部３、幅木６，７および開閉扉４の各扉５に向けて押圧する。こうして、防水装置１が組み立てられる。
【００４７】
本実施形態の防水装置１では、洪水やゲリラ豪雨等によって屋外の水嵩が増すと、まずシート下部１３が水に接する。水圧によってシート下部１３は床面８に向けて押圧されて、シート下部１３が床面８に密着する。これにより、シート下部１３と床面８との間から水が浸入することが抑制される。また、押圧部材３０によってシート下部１３が床面８に向けて押圧されていることで、低水位の場合であってもシート下部１３と床面８との隙間を介した浸水がより抑制される。また、押圧部材３０は、水流等によってシート下部１３が浮き上がることを抑制することが可能である。シート１０は、水圧によって所定部４１と、所定部４１に隣接する床面８とを一体に覆うことができる。
【００４８】
また、シート１０において、壁部３および開閉扉４の各扉５を覆う部分は、水圧によって壁部３、開閉扉４の各扉５に向けて押圧される。これにより、シート１０は、開閉扉４の所定部４１と、構造物Ｓのうち所定部４１に隣接する部分とを一体に覆うことができる。シート１０は、水圧によって押圧されることにより、壁部３等に密着し、シート１０と壁部３の間に水が浸入することを抑制することができる。
【００４９】
また、シート１０は、水圧によって壁部３との間の隙間を塞ぐことで、これらの隙間を介した屋内側への浸水を抑制することができる。シート１０は、水圧によって開閉扉４の所定部４１と、所定部４１に隣接する床面８との隙間を塞ぐことで、開口部Ｏからの屋内側への浸水を抑制することができる。
【００５０】
シート１０は、水圧によって壁部３、開閉扉４の各扉５に対して押圧されるため、水位が増加するに従い壁部３等に対する密着性が増し、また各隙間を閉塞する閉塞性が増す。よって、シート１０は、水位に応じて遮水性能が増し、適切に屋内側への浸水を抑制することができる。
【００５１】
また、シート１０は、開口部Ｏに設置された後であっても、伸縮部材６２即ち伸縮部６０を伸張させることで、シート１０の上端部の幅方向の中央部の床面８からの高さＬを弾性変形（伸縮）していない中立状態よりも下げることができる。したがって、防水装置１及びシート１０は、開口部Ｏに設置された後であっても、伸縮部材６２即ち伸縮部６０を伸張させることで、シート１０を跨ぎやすくして、開口部Ｏからの出入りを許容することができる。
【００５２】
実施形態１に係る防水装置１及びシート１０によれば、シート１０の上端部の幅方向の少なくとも一部に伸縮部材６２が取り付けられているので、開口部Ｏへの設置後であっても、伸縮部材６２を伸張させることでシート１０の上端部を床面８に向けて押し下げることができる。また、防水装置１及びシート１０は、伸縮部材６２がシート１０の上端部の全長に亘って設けられているので、シート１０の上端部を床面８に向けて押し下げることができる。したがって、防水装置１及びシート１０は、開口部Ｏへの設置後に、シート１０の上端部の幅方向の中央部の床面８からの高さＬを小さくして、シート１０を跨ぎやすくして、開口部Ｏから出入りすることを可能とすることができる。また、防水装置１及びシート１０は、伸縮部材６２の弾性復元力によりシート１０の上端部を吸盤などの止着手段により開閉扉等に止着しなくても、シート１０の上端部が垂れ下がることを抑制できる。したがって、防水装置１及びシート１０は、開口部Ｏを止水することができる。
【００５３】
また、防水装置１は、シート１０により開口部Ｏからの浸水を抑制するので、軽量化を図ることができ、開口部Ｏに設置されない状態では、シート１０を折り畳むことができ、コンパクトに収納しておくことができる。
【００５４】
［変形例］
図４を参照して、実施形態１の変形例について説明する。図４は、実施形態１の変形例に係る開口部の防水装置のシートを屋内側からみた平面図である。なお、図４において、実施形態１と同一部分には、同一符号を付して説明を省略する。
【００５５】
実施形態１の変形例に係る防水装置１−１のシート１０−１は、図４に示すように、シート１０−１の上端部の開口部Ｏの幅方向の両端部それぞれに伸縮自在な伸縮部６０を設け、中央部には伸縮部６０を設けていない。実施形態１の変形例に係る防水装置１−１のシート１０−１は、実施形態１と同様に開口部Ｏに設置され、開口部Ｏへの設置後に、伸縮部６０が伸張することで、シート１０の上端部の幅方向の中央部の床面８からの高さＬを弾性変形（伸縮）していない中立状態よりも下げることができる。
【００５６】
実施形態１の変形例に係る防水装置１−１及びシート１０−１は、実施形態１と同様に、開口部Ｏへの設置後に、開口部Ｏから出入りすることを可能とすることができるとともに、開口部Ｏを止水することができる。
【００５７】
また、実施形態１の変形例では、シート１０−１の上端部の開口部Ｏの幅方向の両端部それぞれに伸縮自在な伸縮部６０を設けたが、本発明では、これに限ることなく、シート１０−１の上端部の開口部Ｏの幅方向の一方の端部のみに伸縮部６０を設けてもよい。要するに、本発明では、シート１０−１の上端部の開口部Ｏの幅方向の少なくとも一方の端部に伸縮部６０を設ければよい。
【００５８】
［実施形態２］
図５を参照して、実施形態２について説明する。図５は、実施形態２に係る開口部の防水装置のシートを屋内側からみた平面図である。なお、図５において、実施形態１及び変形例と同一部分には、同一符号を付して説明を省略する。
【００５９】
実施形態２に係る防水装置１−２のシート１０−２は、図５に示すように、シート１０−２の上端部の開口部Ｏの幅方向の両端部それぞれに伸縮自在な伸縮部材６２−２を設け、中央部には伸縮部材６２−２を設けていない。なお、実施形態２では、伸縮部材６２−２は、シート１０−２と同様にシート状又は薄手の平板状に形成され、弾性変形自在なゴムなどで構成されて、シート１０−２の両端部に同一平面上に配置されるのが望ましい。伸縮部材６２−２は、シート１０−２の閉塞部１２の両端部にそれぞれ設けられている。伸縮部材６２−２は、閉塞部１２の下端からシート１０−２の上端部に向けて徐々に幅が広くなるように設けられ、平面形状が三角形に形成されている。なお、本発明では、伸縮部材６２−２の平面形状は、三角形に限定されることなく、台形や円弧であってもよい。また、本発明では、シート１０−２の端部に限らず、中央部のみに伸縮部材６２−２を設けてもよい。本発明では、シート１０−２は、心材１１の近傍を除く開口部Ｏの幅方向の全体を伸縮自在の伸縮部としてもよい。
【００６０】
実施形態２に係る防水装置１−２のシート１０−２は、実施形態１などと同様に開口部Ｏに設置され、開口部Ｏへの設置後に、伸縮部６０が伸張することで、シート１０の上端部の幅方向の中央部の床面８からの高さＬを弾性変形（伸縮）していない中立状態よりも下げることができる。
【００６１】
実施形態２に係る防水装置１−２及びシート１０−２は、実施形態１などと同様に、開口部Ｏへの設置後に、開口部Ｏから出入りすることを可能とすることができるとともに、開口部Ｏを止水することができる。また、実施形態２に係る防水装置１−２及びシート１０−２は、シート１０−２の両端部それぞれにおいて、伸縮部材６２−２が上方に向かうにしたがって徐々に幅広に形成されているので、シート１０−２の上端部を床面８に向けて押し下げることができる。
【００６２】
また、実施形態２では、シート１０−２の上端部の開口部Ｏの幅方向の両端部それぞれに伸縮自在な伸縮部材６２−２を設けたが、本発明では、これに限ることなく、シート１０−２の上端部の開口部Ｏの幅方向の一方の端部のみに伸縮部材６２−２を設けてもよい。要するに、本発明では、シート１０−２の上端部の開口部Ｏの幅方向の少なくとも一方の端部において、閉塞部１２の下端からシート１０−２の上端部に向けて徐々に幅が広くなるように伸縮部材６２−２が設けられていればよい。
【００６３】
また、本発明では、開閉体として、片開き引戸、引き違い引戸、屋内側に回動する開き戸、折り畳み戸、引戸と開き戸からなる親子扉、カーテン部に潜り戸を設けたシャッター、袖扉を有しその袖扉と一緒に開口部Ｏを閉鎖するシャッター、格子状の門扉であってもよい。さらに、本発明では、開閉体は、防水装置１，１−１，１−２を設置している間常時出入り可能に開けたままとするものでもよいし、状況に応じて開閉するものでもよい。さらに、本発明では、シート１０，１０−１，１０−２の上端部の開口部Ｏの幅方向の中央部のみに伸縮自在な伸縮部材６２，６２−２を設けてもよい。このように、本発明では、伸縮部材６２，６２−２は、シート１０の心材１１の近傍を除いた部分に設けることが好ましい。保持部材２０のシート保持部２２のスリット２２ａ内に容易に挿入するためである。
【００６４】
上記の実施形態１、変形例及び実施形態２に開示された内容は、適宜組み合わせて実施することができる。
【符号の説明】
【００６５】
１，１−１，１−２  開口部の防水装置
４  開閉扉（開閉体）
８  床面
１０，１０−１，１０−２  シート
１２  閉塞部
１３  シート下部（鉛直方向下端部）
２０  保持部材
４１  所定部
６２，６２−２  伸縮部材
Ｏ  開口部
Ｓ  構造物
【図１】
2015172318.tif 000003
【図２】
2015172318.tif 000004
【図３】
2015172318.tif 000005
【図４】
2015172318.tif 000006
【図５】
2015172318.tif 000007